(57)【要約】  【課題】商品の提供以外の付加価値を購入者に与えることができると共に設置オーナーの獲得に寄与する自動販売機及び販売システムを提供する。  【解決手段】貨幣又はプリペイド価値を使用して飲料物を購入者に提供すると、体脂肪率計１６が体脂肪率を測定できる状態となり、測定した体脂肪率は診断結果と共にディスプレイ１７又はプリンタ１９に出力される。また、測定値情報を携帯電話３０に送信し、さらに携帯電話がインターネットを介して管理装置５０に送信すると、測定履歴ＤＢにより測定値情報が管理され、携帯電話で測定値情報にアクセスすることができる。【選択図】  図２
2005235023.tif 000002
【特許請求の範囲】
【請求項１】
有価価値を使用して所定の商品を購入者に提供する商品提供処理を行う自動販売機であって、
前記商品提供処理が行われたことを条件として、身体状態を示す所定の項目を測定できる状態となる測定手段と、
該測定手段により測定した測定値を示す測定値情報を出力する測定値出力手段と、
を備えることを特徴とする自動販売機。
【請求項２】
請求項１に記載した自動販売機であって、
前記測定手段により測定した測定値についての診断結果を出力する診断結果出力手段をさらに備えることを特徴とする自動販売機。
【請求項３】
請求項１又は２に記載した自動販売機と、
会員登録を行った会員を個々に特定可能な会員特定情報と対応付けて、該会員特定情報から特定される会員に関する情報を管理する管理装置と、
からなる販売システムであって、
前記自動販売機は、前記購入者である会員が操作する情報端末に対して前記測定値情報を送信する情報端末用送信手段をさらに備え、
前記管理装置は、
前記会員が操作する情報端末から送信される当該会員の会員特定情報と前記測定値情報とを受信する情報端末用受信手段と、
該情報端末用受信手段により受信した会員特定情報から特定される各会員毎に、該受信した測定値情報を記憶する測定値情報記憶手段と、
該測定値情報記憶手段で各会員毎に記憶されている測定値情報を当該会員が操作する情報端末に対して送信する測定値情報送信手段と、をさらに備えることを特徴とする販売システム。
【請求項４】
請求項１又は２に記載した自動販売機と、
会員登録を行った会員を個々に特定可能な会員特定情報と対応付けて、該会員特定情報から特定される会員に関する情報を管理する管理装置と、
からなる販売システムであって、
前記自動販売機は、
前記購入者である会員の会員特定情報を受け付ける会員特定情報受付手段と、
該会員特定情報受付手段により受け付けた会員特定情報と前記測定値情報とを前記管理装置に対して送信する管理装置用送信手段と、をさらに備え、
前記管理装置は、
該管理装置用送信手段から送信される会員特定情報と測定値情報とを受信する管理装置用受信手段と、
該管理装置用受信手段により受信した会員特定情報から特定される各会員毎に、該受信した測定値情報を記憶する測定値情報記憶手段と、
該測定値情報記憶手段で各会員毎に記憶されている測定値情報を当該会員が操作する情報端末に対して送信する測定値情報送信手段と、をさらに備えることを特徴とする販売システム。
【請求項５】
請求項３又は４に記載した販売システムであって、
前記管理装置は、
前記会員特定情報と対応付けて、該会員特定情報から特定される会員の属性情報を記憶する属性情報記憶手段と、
前記購入者である会員の会員特定情報と、当該会員に提供された商品を特定可能な商品特定情報とを受信する商品特定情報受信手段と、
該商品特定情報受信手段により受信した会員特定情報から特定される各会員毎に、該受信した商品特定情報を記憶する商品購入情報記憶手段と、
該商品購入情報記憶手段で各会員毎に記憶されている商品特定情報及び前記属性情報記憶手段で該会員特定情報と対応付けて記憶されている属性情報に基づいて、前記商品特定情報から特定される商品と前記属性情報との関係を示す統計情報を生成する統計情報生成手段と、
該統計情報生成手段により生成した統計情報を出力する統計情報出力手段と、
をさらに備えることを特徴とする販売システム。
【発明の詳細な説明】
【技術分野】
【０００１】
本発明は、貨幣やプリペイド価値等の有価価値を使用して所定の商品を購入者に提供する自動販売機と、該自動販売機及び会員登録を行った会員に関する情報を管理する管理装置からなる販売システムに関する。
【背景技術】
【０００２】
従来より、例えば特許文献１に示すように、売上、在庫、故障等を管理する端末と接続される自動販売機及びその通信システムが提案されている。
【０００３】
【特許文献１】特開２００２-１５７６３３号公報（図１，第３頁）
【発明の開示】
【発明が解決しようとする課題】
【０００４】
近年、空容器の散乱による社会環境の汚染や盗難の問題等により、自動販売機の設置に対しての逆風が強く、設置オーナーの獲得も容易ではない。これら自動販売機の負のイメージを払拭し、さらに販売数を増やすためには、商品の提供以外の付加価値が必要となってきている。一方で、コンビニエンスストア等のように店員が顧客を見て販売する場合と比べて、自動販売機では購入者の性別や年代を推測できないため、各商品の購入者層の把握が困難であるという問題があった。本発明は、このような背景のもとになされたものであり、その目的は、商品の提供以外の付加価値を購入者に与えることができると共に設置オーナーの獲得に寄与する自動販売機及び販売システムを提供することであり、また各商品の購入者層の把握に役立つ販売システムを提供することにある。
【課題を解決するための手段】
【０００５】
本発明は、前記課題を解決するために、次のような手段を採る。なお後述する発明を実施するための最良の形態の説明及び図面で使用した符号を参考のために付記するが、本発明の構成要素は該符号を付したものには限定されない。
【０００６】
まず請求項１に係る発明は、有価価値（貨幣，プリペイド価値）を使用して所定の商品（飲料物）を購入者に提供する商品提供処理を行う自動販売機（１０）であって、前記商品提供処理が行われたことを条件として、身体状態を示す所定の項目（体脂肪率）を測定できる状態となる測定手段（体脂肪率計１６）と、該測定手段により測定した測定値を示す測定値情報を出力する測定値出力手段（ディスプレイ１７，プリンタ１９）と、を備えることを特徴とする自動販売機である。
【０００７】
また請求項２に係る発明は、請求項１に記載した自動販売機（１０）であって、前記測定手段（体脂肪率計１６）により測定した測定値（体脂肪率）についての診断結果を出力する診断結果出力手段（ディスプレイ１７，プリンタ１９）をさらに備えることを特徴とする自動販売機である。
【０００８】
また請求項３に係る発明は、請求項１又は２に記載した自動販売機（１０）と、会員登録を行った会員を個々に特定可能な会員特定情報（会員ＩＤ，ＩＰアドレス，電話番号，Ｅメールアドレス）と対応付けて、該会員特定情報から特定される会員に関する情報（会員ＩＤ，ＩＰアドレス，氏名，性別，生年月日，住所，電話番号，電子メールアドレス）を管理する管理装置（５０）と、からなる販売システム（１）であって、前記自動販売機は、前記購入者である会員が操作する情報端末（携帯電話３０）に対して前記測定値情報（体脂肪率）を送信する情報端末用送信手段（ＩＣカードＲ／Ｗ２０）をさらに備え、前記管理装置は、前記会員が操作する情報端末から送信される当該会員の会員特定情報（ＩＰアドレス）と前記測定値情報とを受信する情報端末用受信手段（Ｗｅｂサーバ５１）と、該情報端末用受信手段により受信した会員特定情報から特定される各会員毎に、該受信した測定値情報を記憶する測定値情報記憶手段（測定履歴ＤＢ）と、
該測定値情報記憶手段で各会員毎に記憶されている測定値情報を当該会員が操作する情報端末に対して送信する測定値情報送信手段（Ｗｅｂサーバ５１）と、をさらに備えることを特徴とする販売システムである。
【０００９】
また請求項４に係る発明は、請求項１又は２に記載した自動販売機（１０）と、会員登録を行った会員を個々に特定可能な会員特定情報（会員ＩＤ，ＩＰアドレス，電話番号，Ｅメールアドレス）と対応付けて、該会員特定情報から特定される会員に関する情報（会員ＩＤ，ＩＰアドレス，氏名，性別，生年月日，住所，電話番号，電子メールアドレス）を管理する管理装置（５０）と、からなる販売システム（１）であって、前記自動販売機は、前記購入者である会員の会員特定情報を受け付ける会員特定情報受付手段（ＩＣカードＲ／Ｗ２０）と、該会員特定情報受付手段により受け付けた会員特定情報（ＩＰアドレス）と前記測定値情報（体脂肪率）とを前記管理装置に対して送信する管理装置用送信手段（通信部２１）と、をさらに備え、前記管理装置は、該管理装置用送信手段から送信される会員特定情報と測定値情報とを受信する管理装置用受信手段（Ｗｅｂサーバ５１）と、該管理装置用受信手段により受信した会員特定情報から特定される各会員毎に、該受信した測定値情報を記憶する測定値情報記憶手段（測定履歴ＤＢ）と、該測定値情報記憶手段で各会員毎に記憶されている測定値情報を当該会員が操作する情報端末に対して送信する測定値情報送信手段（Ｗｅｂサーバ５１）と、をさらに備えることを特徴とする販売システムである。
【００１０】
さらに請求項５に係る発明は、請求項３又は４に記載した販売システム（１）であって、前記管理装置（５０）は、前記会員特定情報と対応付けて、該会員特定情報から特定される会員の属性情報（性別，生年月日，住所）を記憶する属性情報記憶手段（会員情報ＤＢ）と、前記購入者である会員の会員特定情報（ＩＰアドレス）と、当該会員に提供された商品を特定可能な商品特定情報（商品ＩＤ）とを受信する商品特定情報受信手段（Ｗｅｂサーバ５１）と、該商品特定情報受信手段により受信した会員特定情報から特定される各会員毎に、該受信した商品特定情報を記憶する商品購入情報記憶手段（購入履歴ＤＢ）と、該商品購入情報記憶手段で各会員毎に記憶されている商品特定情報及び前記属性情報記憶手段で該会員特定情報と対応付けて記憶されている属性情報（性別，生年月日）に基づいて、前記商品特定情報から特定される商品と前記属性情報との関係を示す統計情報（商品売上ＤＢ）を生成する統計情報生成手段（情報管理サーバ５３）と、該統計情報生成手段により生成した統計情報を出力する統計情報出力手段（ディスプレイ５５）と、をさらに備えることを特徴とする販売システムである。
【発明の効果】
【００１１】
まず請求項１に係る自動販売機によれば、購入者に対して商品の提供が行われたことを条件として、該購入者の身体状態を示す所定の項目を測定して測定値情報を出力するので、購入者に対して商品の提供以外の付加価値を提供することができると共に、設置オーナーの獲得に寄与する。
【００１２】
また請求項２に係る自動販売機によれば、測定した測定値についての診断結果を出力するので、購入者に対して単に測定値情報を出力する場合に比べて、より付加価値を提供できる。
【００１３】
また請求項３に係る販売システムによれば、会員が操作する情報端末から受信した測定値情報を記憶し、該情報端末に対して送信することにより、会員は過去の測定値を情報端末で見ることができて利便性が高まるので、会員に対して付加価値を提供することができる。また、自動販売機と管理装置とを通信可能とするためのネットワークを構築する必要がないので、現状でも容易に実現できる。
【００１４】
また請求項４に係る販売システムによれば、自動販売機から受信した測定値情報を記憶し、会員が操作する情報端末に対して送信することにより、会員は過去の測定値を情報端末で見ることができて利便性が高まるので、会員に対して付加価値を提供することができる。また、測定値情報を自動販売機から情報端末を介さずに管理装置に送信するので、情報端末を操作する手間が省ける。
【００１５】
さらに請求項５に係る販売システムによれば、商品と属性情報との関係を示す統計情報を出力するので、商品毎の購入者層を把握することができる。
【発明を実施するための最良の形態】
【００１６】
以下、発明を実施するための最良の形態を、図面を参照して説明する。本発明の自動販売機１０は、図１に示すように、商品提供処理を行ったことを条件として、体脂肪率計１６により体脂肪率を測定し、その測定値情報や診断結果をディスプレイ１７やプリンタ１９に出力したり、情報端末や管理装置に送信することを特徴とするものである。また本発明の販売システム１は、図２及び図８に示すように、前記自動販売機１０と、会員に関する情報を管理する管理装置５０とからなるものであり、管理装置５０において前記測定値情報を各会員毎に記憶しておき、会員からの要求に応じて、当該会員の測定値情報を当該会員が操作する情報端末（携帯電話３０）に送信することを特徴とするものである。
【００１７】
これら本発明の自動販売機及び販売システムには、図２に示すように、自動販売機１０が、前記購入者である会員が操作する携帯電話３０に対して測定値情報（体脂肪率）を送信し、これを受信した携帯電話３０が、会員特定情報（ＩＰアドレス）及び測定値情報を管理装置５０に対して送信し、管理装置５０が、受信した会員特定情報（ＩＰアドレス）から特定される各会員毎に測定値情報を記憶する第１実施形態に係る自動販売機１０及び販売システム１と、図８に示すように、自動販売機１０が、購入者である会員の会員特定情報（ＩＰアドレス）を受け付けて、該受け付けた会員特定情報及び測定値情報（体脂肪率）を管理装置５０に対して送信し、管理装置５０が、受信した会員特定情報から特定される各会員毎に測定値情報を記憶する第２実施形態に係る自動販売機１０及び販売システム１と、が含まれる。以下においては、まず第１実施形態に係る自動販売機１０及び販売システム１について説明し、次に第２実施形態に係る自動販売機１０及び販売システム１について第１実施形態に係る自動販売機１０及び販売システム１と異なる点についてのみ説明する。
【００１８】
［１．第１実施形態に係る自動販売機１０及び販売システム１］
まず、図１〜図４を参照して、第１実施形態の自動販売機１０，及び該自動販売機１０と管理装置５０とからなる販売システム１の構成について説明する。なお、以下においては、リーダライタを「Ｒ／Ｗ」，データベースを「ＤＢ」と略記する。また、自動販売機１０は自動販売機ＩＤによって個々に特定可能であり、自動販売機１０が提供する商品の種類は商品ＩＤによって個々に特定可能となっている。
【００１９】
なお、本第１実施形態の情報端末である携帯電話３０は、インターネットへの接続が可能なものであり、表示装置として液晶ディスプレイを備えている。また、この携帯電話３０の内部にはＩＣチップが実装されている。このＩＣチップは記憶領域として不揮発性のＥＥＰＲＯＭを備える非接触式の集積回路を搭載したＩＣチップであり、この記憶領域には自動販売機１０の商品を購入することができるプリペイド価値が記憶されている。また、この記憶領域には後述する自動販売機１０のＩＣカードＲ／Ｗ２０から送信された測定値情報も記憶される。
【００２０】
ここで、ＩＣチップへのプリペイド価値のチャージ（即ちプリペイド価値の購入）は、予めプリペイド価値を提供する会社に個人情報とクレジットカード情報、及びパスワードを登録しておき、携帯電話３０で所定のサイトにアクセスして設定したパスワードとチャージ額を入力することで行われるものである。また、ＩＣカード（チップ）Ｒ／Ｗを備えるチャージ装置に入金することよりＩＣチップに入金分のプリペイド価値をチャージしても良い。
【００２１】
自動販売機１０は有価価値を使用して所定の商品を購入者に提供する商品提供処理を行うものであり、ここでは有価価値として貨幣又はプリペイド価値を使用して缶入り（又はペットボトル入り）の飲料物を提供する商品提供処理を行う。この自動販売機１０は、図１に示すように、その前面に硬貨挿入口１１ａ，紙幣挿入口１２ａ，ディスプレイ１７，入力キー１８，体脂肪率計１６，プリンタ１９，及び商品提供口１４ａ等を備え、図２に示すように、その内部に硬貨識別機１１，紙幣識別機１２，操作検出器１３，ＩＣカードＲ／Ｗ２０，商品提供装置１４，制御部１５等を備えており、これらの各構成要素は図２に示すように接続されている。なお、ＩＣカードＲ／Ｗ２０は携帯電話の絵が描かれたパネルの裏面側（自動販売機１０の内部側）に設置されている。ここで、図２に示すように、第１実施形態の自動販売機１０は管理装置５０と直接通信を行わない。
【００２２】
硬貨識別機１１は貨幣のうち、硬貨を受け付けるものであり、硬貨挿入口１１ａから硬貨を受け付けて、識別する識別機である。紙幣識別機１２は貨幣のうち、紙幣を受け付けるものであり、紙幣挿入口１２ａから紙幣を受け付けて、該受け付けた紙幣を識別する識別機である。
【００２３】
操作検出器１３は購入者が購入する商品を選択するための商品選択ボタンの操作を検出するものであり、どの商品選択ボタンが操作されたのかを検出する。
【００２４】
商品提供装置１４は、商品ストッカ（図示外）から商品を取り出して商品提供口１４ａから購入者に提供する処理を行うものである。
【００２５】
制御部１５は、ＣＰＵ，ＲＡＭ，ＲＯＭ等を備えており、ＲＯＭに記憶されている処理プログラムがＲＡＭを作業領域としてＣＰＵで実行されることにより、接続される各構成要素の動作を制御して（あるいは各構成要素からの信号を受信して）各種の処理を行うものである。この制御部１５は、有価価値を使用して所定の商品を購入者に提供する商品提供処理を行うものであり、ここでは硬貨識別機１１又は紙幣識別機１２により識別された金額や、携帯電話３０のＩＣチップに記憶されているプリペイド価値を使用して、商品提供装置１４により操作検出器１３の検出に応じた所定の商品を購入者に提供する処理を行う。
【００２６】
体脂肪率計１６は測定手段の一例であって、上記商品提供処理が行われたことを条件として、身体状態を示す所定の項目として、体脂肪率を測定できる状態となるものである。ここでは商品提供処理の後に表示される図５のＤ１２に示す画面において、身長と体重が入力された状態で「測定」が選択されることにより体脂肪率の測定が可能な状態となる。
【００２７】
ディスプレイ１７は例えば液晶ディスプレイであって、図５に示すように、所定のメッセージを表示して購入者（会員）に操作手順を示す役割を果たす。またディスプレイ１７は測定値出力手段の一例であって、体脂肪率計１６により測定した体脂肪率を示す測定値情報を出力するものである。ここでは測定値情報として測定した体脂肪率の値を出力しているが、体脂肪率の値そのものに限らず体脂肪率の値に基づくランク（例えば，体脂肪率が低い順にＡ〜Ｆにより示される）も体脂肪率を示す測定値情報である。
【００２８】
またディスプレイ１７は診断結果出力手段の一例であって、図５のＤ１３に示すように、体脂肪率計１６により測定した体脂肪率についての診断結果（ここでは「太りぎみですので注意しましょう」という診断）を出力するものである。この診断は例えば、体脂肪率と、身長、体重等により区分けされた体脂肪率テーブルの各欄に対応するコメントを参照して行われるものであり、ここでは制御部１５により行われる。
【００２９】
入力キー１８は図５のＤ１２に示すように、ディスプレイ１７に示される身長や体重の入力欄に値を入力するための入力装置であり、ディスプレイ１７の右側に配置され、ディスプレイ１７を見ながら入力欄への入力が行える。また、ディスプレイ１７に表示されるアイテム（例えば図５のＤ１２に示される「測定」ボタン等）を選択するものである。
【００３０】
プリンタ１９はディスプレイ１７と同様に測定値出力手段の一例であって、体脂肪率計１６により測定した体脂肪率を示す測定値情報を出力するものである。またプリンタ１９はディスプレイ１７と同様に診断結果出力手段の一例であって、体脂肪率計１６により測定した体脂肪率についての診断結果をロール紙に印刷して出力するものである。具体的には、これら測定値出力手段及び診断結果出力手段として機能するプリンタ１９は、図５のＤ１４に示すように、体脂肪率計１６により測定した体脂肪率や、該体脂肪率についての診断結果を、予めセットされたロール紙に印刷して出力する。
【００３１】
ＩＣカードＲ／Ｗ２０は購入者がプリペイド価値を使用する際に、携帯電話３０が備えるＩＣチップに記憶されているプリペイド価値を読み取る（即ち受信する）ものであり、ここでは前記ＩＣチップに対応したＩＣカードＲ／Ｗ２０である。また、プリペイド価値が使用されたときには、使用されずに残った分の（即ち減算処理が行われた後の）プリペイド価値をＩＣチップに記憶する（即ち送信する）ための処理を行うものでもある。
【００３２】
このＩＣカードＲ／Ｗ２０は情報端末用送信手段の一例であって、購入者である会員が操作する携帯電話３０に対して測定値情報（体脂肪率）を送信するものである。具体的には、自動販売機１０のディスプレイ１７に図５のＤ１３に示すように測定結果が表示されている状態であり、かつ後述する図６のＤ２２に示すように携帯電話３０のＩＣチップが測定値情報を書込可となった状態で、この携帯電話３０がＩＣカードＲ／Ｗ２０（購入者側からみると携帯電話の絵）に近づけられることで、該ＩＣチップに測定値情報（体脂肪率）を送信する。これを受信したＩＣチップは記憶領域に測定値情報を記憶する。このとき携帯電話３０のディスプレイには、図６のＤ２３に示すように、ＩＣチップに記憶された体脂肪率と、本日の日付が表示され、測定値情報の登録（後述する測定履歴ＤＢへの登録）又は消去を選択可能な状態となる。
【００３３】
なお、本第１実施形態では、ＩＣカードＲ／Ｗ２０は、携帯電話３０のＩＣチップに対して、測定値情報の他に、購入者（会員）が購入した商品の商品ＩＤと、その商品提供処理を行った自動販売機１０の自動販売機ＩＤを記憶するための処理も行うものである。
【００３４】
次に管理装置５０の構成について図２を用いて説明する。図２に示すように、この管理装置は５０は、Ｗｅｂサーバ５１，記憶装置５２，情報管理サーバ５３，ＰＣ５４，及びディスプレイ５５から構成されており、これらは図２に示すように接続されている。
【００３５】
Ｗｅｂサーバ５１はインターネットと管理装置５０を接続する役割を果たすものであり、同じくインターネットに接続される携帯電話３０と、当該管理装置５０との間の通信を司るものである。このＷｅｂサーバ５１は図２に示すように会員登録サイト，及び健康情報サイトを提供する。このＷｅｂサーバ５１は情報端末用受信手段の一例であって、会員が操作する携帯電話３０から送信される当該会員の会員特定情報（ＩＰアドレス）と測定値情報（体脂肪率）とを受信するものである。
【００３６】
またＷｅｂサーバ５１は商品特定情報受信手段の一例であって、購入者である会員の会員特定情報（ＩＰアドレス）と、当該会員に提供された商品を特定可能な商品特定情報（商品ＩＤ）とを受信するものであり、本第１実施形態では前記会員が操作する携帯電話３０からこれらの情報を受信する。なお、これらの情報の他に、購入者（会員）が購入した商品の商品提供処理を行った自動販売機１０を特定可能な自動販売機ＩＤも受信する。
【００３７】
さらにＷｅｂサーバ５１は測定値情報送信手段の一例であって、後述する測定値情報記憶手段（測定履歴ＤＢ）で各会員毎に記憶されている測定値情報を当該
会員が操作する携帯電話３０に対して送信するものである。具体的には、送信する測定値情報と対応付けて記憶されている会員ＩＤから特定されるＩＰアドレスの携帯電話３０に対して、図６のＤ２４に示す体脂肪率の推移グラフを送信する。
【００３８】
記憶装置５２は図２〜図４に示すように、会員情報ＤＢ，測定履歴ＤＢ，購入履歴ＤＢ，及び商品売上ＤＢの各ＤＢを記憶している。図３に示す会員情報ＤＢには、会員登録の際（又はその後の登録情報の変更の際）に、図６のＤ２１に示す会員登録画面において入力された情報が登録されており、会員登録を行った会員を個々に特定可能な会員ＩＤと対応付けて、該登録が行われた情報端末のＩＰアドレスと、該会員ＩＤから特定される会員の氏名と、同性別と、同生年月日と、同住所と、同電話番号と、同電子メールアドレスとが会員に関する情報として記憶されている。即ち管理装置５０は会員情報ＤＢによって会員特定情報と対応付けて会員に関する情報を管理している。
【００３９】
ここで、会員ＩＤは会員特定情報であるが、この他にもＩＰアドレス，電話番号，及び電子メールアドレスのいずれによっても会員を個々に特定可能であり、これらは会員特定情報となる。また、ここでは性別，生年月日，及び住所が会員の属性情報として記憶されている。なお、会員情報ＤＢへの情報登録処理は情報管理サーバ５３により行われる。
【００４０】
測定履歴ＤＢは測定値情報記憶手段の一例であって、情報端末用受信手段であるＷｅｂサーバ５１により受信した会員特定情報（ＩＰアドレス）から特定される各会員毎に、該受信した測定値情報を記憶するものである。ここでは、受信したＩＰアドレスから特定される会員ＩＤと対応付けて、受信した測定値情報を記憶し、これらの情報を受信した日を測定日として記憶している。なお、測定履歴ＤＢへの情報登録処理は情報管理サーバ５３により行われるものであり、受信したＩＰアドレスからの会員ＩＤの特定（会員情報ＤＢの参照により可能）も情報管理サーバ５３により行われる。これによって、会員ＩＤ毎に体脂肪率の測定結果を履歴として残すことができる。
【００４１】
購入履歴ＤＢは商品購入情報記憶手段の一例であって、商品特定情報受信手段であるＷｅｂサーバ５１により受信した会員特定情報（ＩＰアドレス）から特定される各会員毎に、該受信した商品特定情報（商品ＩＤ）を記憶するものである。ここでは、受信したＩＰアドレスから特定される会員ＩＤと対応付けて、受信した商品ＩＤを記憶し、これらの情報を受信した日を購入日として記憶している。さらにＷｅｂサーバ５１が上記情報と共に受診した自動販売機ＩＤも記憶している。なお、購入履歴ＤＢへの情報登録処理は情報管理サーバ５３により行われるものであり、受信したＩＰアドレスからの会員ＩＤの特定（会員情報ＤＢの参照により可能）も情報管理サーバ５３により行われる。これによって、会員ＩＤ毎に商品の購入履歴を残すことができる。
【００４２】
情報管理サーバ５３は上記会員情報ＤＢ，測定履歴ＤＢ，及び購入履歴ＤＢの管理を司るものであり、上述したようにこれらのＤＢについて各情報の登録や更新を行うものである。また、情報管理サーバ５３は測定履歴ＤＢに基づいて、各会員ＩＤ毎に測定履歴を時系列の体脂肪率グラフ（図６のＤ２４に示す態様）にして、さらにこれをＷｅｂサーバ５１により携帯電話３０に送信可能な形式として保存している。
【００４３】
また情報管理サーバ５３は統計情報生成手段の一例であって、商品購入情報記憶手段である購入履歴ＤＢで各会員毎に記憶されている商品ＩＤ及び属性情報記憶手段である会員情報ＤＢに会員ＩＤと対応付けて記憶されている属性情報（性別，生年月日）に基づいて、前記商品ＩＤから特定される商品と前記属性情報との関係を示す商品売上ＤＢを生成するものである。具体的には図４に示すように、各自動販売機ＩＤについて、商品ＩＤ毎の性別と年代別の売上本数を集計して商品売上ＤＢを生成する。会員情報ＤＢ及び購入履歴ＤＢにより一つの会員ＩＤに対して性別と、生年月日と、商品ＩＤと、自動販売機ＩＤが対応付けられるため、商品売上ＤＢが作成可能である。
【００４４】
ＰＣ５４はディスプレイ５５を備え、情報管理サーバ５３を介して商品売上ＤＢにアクセスすることが可能である。ここでディスプレイ５５は統計情報出力手段の一例であって、統計情報生成手段である情報管理サーバ５３により生成した統計情報を出力するものであり、具体的には図４の商品売上ＤＢに基づいて作成される図７に示すような商品毎の購入者の内訳（性別，年代別）グラフを表示する。このグラフの作成はＰＣ５４で行っても良いし、情報管理サーバ５３で行っても良い。
【００４５】
次に図５〜図７を用いて、自動販売機１０，及び販売システム１の作用について説明する。まず会員登録を行うにあたり、携帯電話３０により上記Ｗｅｂサーバ５１が提供するホームページにアクセスすると、図６のＤ２０に示す画面が表示される。ここで１の会員登録を選択すると、Ｄ２１に示す会員登録画面が表示される。各入力欄に氏名と、性別と、生年月日と、住所と、電話番号と、電子メールアドレスと、身長と、体重を入力して「登録」ボタンを選択すると、入力された情報が、当該携帯電話３０のＩＰアドレスと共にＷｅｂサーバ５１に送信され、さらにＷｅｂサーバ５１から情報管理サーバ５３に会員登録を行う旨と共に送信される。情報管理サーバ５３では、会員登録を行う旨を受信したことに基づいて、会員ＩＤを発行して、この会員ＩＤと受信した上記各情報を会員情報ＤＢに記憶する。
【００４６】
次に会員又は非会員が自動販売機１０で飲料物を購入しようとする際には図５のＤ１０に示すように、ディスプレイ１７に「現金を投入して下さい」というメッセージと、「プリペイド御使用の方は購入する商品のボタンを押して携帯電話を読取機に近づけてください。」というメッセージが表示されている。
【００４７】
ここで現金を投入して、商品選択ボタンを押して所望の飲料物を購入すると、商品提供処理が行われる。なお、プリペイド価値を使用して飲料物を購入するには、購入する商品の商品選択ボタンを先に押して、携帯電話３０を自動販売機１０の携帯電話の絵が描かれているパネル（即ちＩＣカードＲ／Ｗ２０）に近づけると、ＩＣカードＲ／Ｗ２０がＩＣチップのプリペイド価値を読み取って、提供を行おうとする商品の価格以上であることを条件として商品提供処理が行われる。この商品提供処理が行われることでＩＣチップには更新後の（読み取ったプリペイド価値から提供された商品の価格に相当するプリペイド価値が減算された）プリペイド価値が記憶される。
【００４８】
なお、商品購入に使用されたプリペイド価値は、売上金として自動販売機１０に蓄積され（例えば売上金専用のＩＣカードに記憶され）、貨幣の回収と同様にルートマンが携帯するプリペイド集計器へ回収する（例えば売上金回収用のＩＣカードに記憶する）。しかし、この自動販売機１０が管理装置５０と通信可能に接続されているときには、管理装置５０に対して売上金としてのプリペイド価値を送信し、管理装置５０側で売上金としてのプリペイド価値を管理しても良い。また、この自動販売機１０がプリペイド価値の決済を行う決済機関のサーバと通信可能に接続されているときには、決済機関のサーバに対して売上金としてのプリペイド価値を送信しても良い。
【００４９】
次に、商品提供処理が行われたことにより、Ｄ１１に示すように「お買い上げありがとうございました。体脂肪率を測定出来ます。」というメッセージが表示され、次にＤ１２に示すように身長と体重の入力欄が表示される。
【００５０】
ここで購入者が入力キー１８により身長と体重を入力して、「測定」を選択すると、体脂肪率計１６により体脂肪率を測定可能な状態となる。ここで購入者が図１の（ｂ）に示すようにして体脂肪率計１６を握って測定を行うと、その結果がＤ１３に示すように「体脂肪率は２５％です。太りぎみですので注意しましょう。」というメッセージが表示される。即ち体脂肪率と、その体脂肪率についての診断結果が表示される。
【００５１】
このように本発明の自動販売機１０によれば、購入者に対して商品の提供が行われたことを条件として、該購入者の体脂肪率を測定してディスプレイ１７に出力するので、購入者に対して商品の提供以外の付加価値を提供することができると共に、設置オーナーの獲得に寄与する。特に最近では、体内の脂肪燃焼が促進されるといわれているアミノ酸を配合した飲料や、ガン予防効果があるといわれているカテキンを配合した飲料や、美肌効果があるフラバンジェノール等を配合した飲料等の健康飲料に人気があるので、本発明の自動販売機１０によれば、該健康飲料の購入者に対して強くアピールでき、比較的単価の高い健康飲料の販売も促進できる。
【００５２】
また、このＤ１３の画面には「印刷」ボタン、「携帯電話に送る場合はお持ちの携帯電話を携帯電話の絵に近づけてください」というメッセージが表示される。ここで、ディスプレイ１７に表示される「印刷」ボタンを選択すると、Ｄ１４に示すようにプリンタ１９により体脂肪率と診断結果がプリントアウトされる。
【００５３】
なお、体脂肪率を携帯電話３０に送る場合には、前述した図６のＤ２０のホームページに携帯電話３０でアクセスして、体脂肪率登録を選択することによって、Ｄ２２に示すように当該携帯電話３０のＩＣチップに測定値情報を書込可の状態になる。この状態で携帯電話３０を自動販売機１０の携帯電話の絵が描かれているパネル（即ちＩＣカードＲ／Ｗ２０）に近づけると、ＩＣカードＲ／Ｗ２０により携帯電話３０のＩＣチップに測定値情報として体脂肪率が記憶される。なお、このとき、前記商品提供処理により提供した商品の商品ＩＤと、当該自動販売機１０の自動販売機ＩＤもＩＣチップに記憶される。そしてディスプレイにはＤ２３に示すように、ＩＣチップに記憶された測定値情報と、「登録」ボタンと、「消去ボタン」が表示される。
【００５４】
ここで「登録」ボタンを選択すると、当該携帯電話３０のＩＰアドレスと、ＩＣチップに記憶されている測定値情報と、製品ＩＤと、自動販売機ＩＤがインターネット及びＷｅｂサーバ５１を介して情報管理サーバ５３に送信される。これを受信した情報管理サーバ５３は会員情報ＤＢを参照して、受信したＩＰアドレスから会員ＩＤを特定し、該会員ＩＤと受信した測定値情報とを対応付けて測定履歴ＤＢに記憶すると共に、これらを受信した日付を「測定日」として記憶する。また情報管理サーバ５３は特定した会員ＩＤと対応付けて、受信した製品ＩＤと自動販売機ＩＤとを購入履歴ＤＢに記憶すると共に、これらを受信した日付を「購入日」として記憶する。なおＤ２３において、「消去」ボタンを選択すると、ＩＣチップに記憶されている測定値情報が消去される。
【００５５】
なお、会員がこの購入履歴ＤＢに記憶されている測定値情報を見たい場合には、図６のＤ２０のホームページに携帯電話３０でアクセスして、健康情報を選択することによって、当該携帯電話３０のＩＰアドレスと健康情報要求の旨がＷｅｂサーバ５１に送信され、Ｗｅｂサーバ５１は情報管理サーバ５３に対して、該ＩＰアドレスに対応する体脂肪率グラフの送信を要求する。情報管理サーバ５３では、受信したＩＰアドレスに対応する体脂肪率グラフを抽出してＷｅｂサーバ５１に送信し、Ｗｅｂサーバ５１は受信した体脂肪率グラフを、前記ＩＰアドレスの携帯電話３０に対して送信する。これを受信した携帯電話３０のディスプレイにはＤ２４に示すように体脂肪率の推移グラフが表示される。
【００５６】
このように会員が操作する携帯電話３０から受信した測定値情報を測定履歴ＤＢに記憶し、該携帯電話３０に対して送信することにより、会員は過去の測定値を携帯電話３０で見ることができて利便性が高まるので、会員に対して付加価値を提供することができる。また、自動販売機１０と管理装置５０とを通信可能とするためのネットワークを構築する必要がないので、現状でも容易に実現できる。
【００５７】
また、情報管理サーバ５３では、上述したように、各自動販売機ＩＤ毎に、商品ＩＤ毎の購入者内訳を集計しており、その結果は図７に示すようにディスプレイ５５で確認することができる。これによれば商品と購入者の性別，年齢との関係を示す統計情報をディスプレイ５５に出力するので、商品毎の購入者層を把握することができる。
【００５８】
なお、購入履歴ＤＢと会員情報ＤＢによりどの会員が、いつ、どの商品を、どの自動販売機１０で購入したかを特定することが出来るので、例えば購入頻度の高い会員に対して新商品の案内メール等を送信することで、販売を促進することができ、また、自動販売機の商品の入替等の参考にすることもできる。
【００５９】
［２．第２実施形態に係る自動販売機１０及び販売システム１］
次に図８を参照して、第２実施形態に係る自動販売機１０及び販売システム１について第１実施形態に係る販売システム１と異なる点についてのみ説明する。ここで、図８に示すように、第２実施形態の自動販売機１０は、第１実施形態と異なり、通信部２１により管理装置５０とインターネットを介して通信を行うことが可能である。
【００６０】
なお、第２実施形態の情報端末である携帯電話３０は、第１実施形態と同様にインターネットへの接続が可能なものであり、液晶ディスプレイを備えている。また、この携帯電話３０の内部にはＩＣチップが実装されており、その記憶領域にはプリペイド価値が記憶されている。なお、第１実施形態と異なり、本第２実施形態においてはＩＣチップに当該携帯電話３０のＩＰアドレスも記憶されている。また携帯電話３０は、第１実施形態と異なり、測定値情報を記憶しない。また、製品ＩＤや自動販売機ＩＤも記憶しない。従って図６のＤ２２及びＤ２３の画面はディスプレイに表示されない。
【００６１】
自動販売機１０は第１実施形態と同様に、有価価値を使用して所定の商品を購入者に提供する商品提供処理を行うものである。ただし、第１実施形態と異なり、図８に示すように通信部２１をさらに備えており、これによってインターネットを介して管理装置５０と通信を行うものである。
【００６２】
ここで、硬貨識別機１１、紙幣識別機１２、操作検出器１３、商品提供装置１４、制御部１５、体脂肪率計１６、ディスプレイ１７、入力キー１８、及びプリンタ１９については第１実施形態と同様である。
【００６３】
ＩＣカードＲ／Ｗ２０は第１実施形態と同様に、ＩＣチップからプリペイド価値を読み取るものであり、また、プリペイド価値が使用されたときには、使用されずに残った分の（即ち減算処理が行われた後の）プリペイド価値をＩＣチップに書き込むための処理を行うものでもある。
【００６４】
なお、第２実施形態において、ＩＣカードＲ／Ｗ２０は会員特定情報受付手段の一例であって、購入者である会員の会員特定情報を受け付けるものであり、ここでは前記プリペイド価値と共に会員特定情報であるＩＰアドレスも読み取る。なお、ＩＣカードＲ／Ｗ２０は第１実施形態と異なり、情報端末用送信手段としては機能しない。また、商品ＩＤや自動販売機ＩＤも送信しない。
【００６５】
通信部２１はインターネットと自動販売機１０を接続するためのものであり、同じくインターネットに接続される後述するＷｅｂサーバ５１と当該自動販売機１０との間の通信を司るものである。この通信部２１は管理装置用送信手段の一例であって、会員特定情報受付手段により受け付けた会員特定情報と測定値情報とを管理装置に対して送信するものであり、ここではＩＣカードＲ／Ｗ２０によりＩＣチップから読み取ったＩＰアドレスと、体脂肪率計１６により測定した体脂肪率を示す測定値情報とをインターネットを介して管理装置５０に対して送信するものである。また通信部２１は商品提供処理により提供した商品の商品ＩＤとＩＰアドレスとを管理装置５０に対して送信するものであり、このとき自動販売機ＩＤも送信する。
【００６６】
次に管理装置５０の構成について図８を用いて説明する。この管理装置は５０は、第１実施形態と同様にＷｅｂサーバ５１，記憶装置５２，情報管理サーバ５３，ＰＣ５４，及びディスプレイ５５から構成されており、これらは図８に示すように接続されている。
【００６７】
Ｗｅｂサーバ５１はインターネットと管理装置５０を接続する役割を果たすものであり、同じくインターネットに接続される携帯電話３０と、当該管理装置５０との間の通信を司るものである。このＷｅｂサーバ５１は図８に示すように会員登録サイト，及び健康情報サイトを提供する。このＷｅｂサーバ５１は管理装置用受信手段の一例であって、管理装置用送信手段である通信部２１から送信されるＩＰアドレスと測定値情報とを受信するものである。
【００６８】
また、Ｗｅｂサーバ５１は第１実施形態と同様に商品特定情報受信手段として機能するものである。ここで商品特定情報と共に自動販売機ＩＤも受信する。さらにＷｅｂサーバ５１は第１実施形態と同様に測定値情報送信手段として機能するものである。
【００６９】
記憶装置５２は第１実施形態と同様に、会員情報ＤＢ，購入履歴ＤＢ，測定履歴ＤＢ，及び商品売上ＤＢの各ＤＢを記憶している。なお、測定履歴ＤＢは測定値情報記憶手段の一例であって、管理装置用受信手段であるＷｅｂサーバ５１により受信したＩＰアドレスから特定される各会員毎に、該受信した測定値情報を記憶するものである。
【００７０】
情報管理サーバ５３は第１実施形態と同様に、上記会員情報ＤＢ，購入履歴ＤＢ，及び測定履歴ＤＢの管理を司るものである。また情報管理サーバ５３は第１実施形態と同様に統計情報生成手段として機能する。
【００７１】
ＰＣ５４はディスプレイ５５を備え、第１実施形態と同様に情報管理サーバ５３を介して商品売上ＤＢにアクセスすることが可能であり、ディスプレイ５５は統計情報出力手段として機能する。
【００７２】
次に図５〜図７を用いて、第２実施形態の自動販売機１０，及び販売システム１の作用について説明する。会員登録の手段及び方法については第１実施形態と同様である。
【００７３】
次に会員又は非会員が自動販売機１０で飲料物を購入しようとする際には図５のＤ１０に示すように、ディスプレイ１７に「現金を投入して下さい」というメッセージと、「プリペイド御使用の方は購入する商品のボタンを押して携帯電話を読取機に近づけてください。」というメッセージが表示されている。
【００７４】
ここで現金を投入して、商品選択ボタンを押して所望の飲料物を購入すると、商品提供処理が行われる。なお、プリペイド価値を使用して飲料物を購入するには、購入する商品の商品選択ボタンを先に押して、携帯電話３０を自動販売機１０の携帯電話の絵が描かれているパネル（即ちＩＣカードＲ／Ｗ２０）に近づけると、ＩＣカードＲ／Ｗ２０がＩＣチップのプリペイド価値を読み取って、提供を行おうとする商品の価格以上であることを条件として商品提供処理が行われる。ここで、第１実施形態と異なり、ＩＣチップからのプリペイド価値の読取の際にＩＰアドレスも読み取っている。この商品提供処理が行われることでＩＣチップには更新後の（読み取ったプリペイド価値から提供された商品の価格に相当するプリペイド価値が減算された）プリペイド価値が記憶される。
【００７５】
次に、商品提供処理が行われたことにより、第１実施形態と同様にＤ１１に示すように「お買い上げありがとうございました。体脂肪率を測定出来ます。」というメッセージが表示され、次にＤ１２に示すように身長と体重の入力欄が表示される。そして第１実施形態と同様にして体脂肪率の測定が行われると、Ｄ１５に示すように「体脂肪率は２５％です。太りぎみですので注意しましょう。」というメッセージが表示される。即ち体脂肪率と、その体脂肪率についての診断結果が表示される。
【００７６】
また、このＤ１５の画面には「印刷」ボタンが表示される。ここで、第１実施形態と異なり、ＩＰアドレスが読み取られている場合（即ちプリペイド価値が使用された場合）には「携帯電話に送る場合はお持ちの携帯電話を携帯電話の絵に近づけてください」というメッセージは表示されずに「登録」ボタンがさらに表示される。ここで、ディスプレイ１７に表示される「印刷」ボタンを選択すると、第１実施形態と同様にＤ１４に示すようにプリンタ１９により体脂肪率と診断結果がプリントアウトされる。
【００７７】
一方、このＤ１５において「登録」ボタンを選択すると、ＩＣカードＲ／Ｗ２０により読み取ったＩＰアドレス及び測定値情報と、提供した商品の商品ＩＤと、当該自動販売機１０の自動販売機ＩＤとが、インターネット及びＷｅｂサーバ５１を介して情報管理サーバ５３に送信される。これを受信した情報管理サーバ５３は第１実施形態と同様に各ＤＢを更新する。なお、ＰＣ５４，及びディスプレイ５５の作用については第１実施形態と同様である。
【００７８】
なお、会員がこの購入履歴ＤＢに記憶されている測定値情報を見たい場合には、第１実施形態と同様に図６のＤ２０のホームページに携帯電話３０でアクセスして、健康情報を選択することによって、体脂肪率の推移グラフを見ることができる。
【００７９】
このように自動販売機１０から受信した測定値情報を測定履歴ＤＢに記憶し、会員が操作する携帯電話３０に対して送信することにより、会員は過去の測定値を携帯電話３０で見ることができて利便性が高まるので、会員に対して付加価値を提供することができる。また、測定値情報を自動販売機１０から携帯電話３０を介さずに管理装置５０に送信するので、携帯電話３０を操作する手間が省ける。
【００８０】
最後に、本発明に係る自動販売機１０及び販売システム１の変形例について説明する。
【００８１】
上記の実施形態では、有価価値が現金又はＩＣチップに記憶されるプリペイド価値である例について説明したが、これに限らず、有価価値は、プリペイドカードに記憶されるプリペイド価値であっても良く、会員毎のプリペイド価値を管理するサーバによって管理されているプリペイド価値であっても良く、クレジットカードのカードＩＤ（顧客ＩＤでも可）から特定される口座の残高であっても良い。なお、有価価値が前記サーバによって管理されるプリペイド価値である場合に、この有価価値を使用するには、会員が携帯電話でこのプリペイド価値を使用するためのサイトにアクセスして、該プリペイド価値を使用するための二次元コード等をディスプレイに表示し、自動販売機１０に備えられる二次元コードリーダ等により、これを読み取って商品提供処理を行うようにしても良い。即ち有価価値とは商品の購入に使用できる情報であれば良い。
【００８２】
上記の実施形態では、自動販売機が提供する商品が、缶入り（又はペットボトル入り）の飲料物である例について説明したが、これに限らず、商品はカップミキシング式の飲料物であっても良く、電子チケット（即ち自動販売機がコンビニエンスストア等に設置されるキオスク端末である）であっても良い。また、商品は物品に限らず、マッサージ等のサービスであっても良い。
【００８３】
上記の実施形態では、身体状態を示す所定の項目が体脂肪率であり、これを測定できる状態となる測定手段が体脂肪率計である例について説明したが、これに限らず、所定の項目は、血圧でも良く、肌水分率でも良く、身長でも良く、体重でも良く、これら以外の他の項目でも良い。また、これに伴う測定手段は、血圧計でも良く、肌水分計でも良く、ディジタル身長計でも良く、体重計でも良く、これら以外の他の測定機器でも良い。
【００８４】
上記の実施形態では、測定値出力手段や診断結果出力手段が、自動販売機１０に備えられるディスプレイ１７とプリンタ１９である例について説明したが、これに限らず、いずれか一方でも良い。また、測定値出力手段や診断結果出力手段は、測定値情報や診断結果を視認可能な態様で出力するディスプレイ１７やプリンタ１９に限らず、第１実施形態のＩＣカードＲ／Ｗ２０や、第２実施形態の通信部２１も含まれる。即ち視認可能な態様ではないが、測定値情報を信号として出力するものも含む。さらに、測定値出力手段や診断結果出力手段は、測定値情報や診断結果を音声で出力するスピーカ等であっても良い。
【００８５】
上記の実施形態では、体脂肪率を測定するにあたり、身長と体重を入力キー１８により入力する例について説明したが、これに限らず、携帯電話や管理装置側で身長と体重を記憶しておき、自動販売機がこれらの情報を取得して測定を行うようにしても良い。さらに年齢や性別を入力又は登録するようにして、該年齢や性別を考慮した診断を行うようにしても良い。
【００８６】
上記の実施形態では、製品と属性情報との関係を示す統計情報が各製品毎の購入者層の比率を示す円グラフである例について説明したが、これに限らず、統計情報は、例えば、各購入者層毎の商品の売上であっても良い（例えば２０代女性に人気のある商品のランキング等）。
【００８７】
上記の実施形態では、情報端末が携帯電話３０である例について説明したが、これに限らず、ＰＤＡタイプの端末でも良い。また、会員が測定値情報を受信するための情報端末はＰＣであっても良い。なお、測定値情報を受信する情報端末（即ち健康情報サイトにアクセスするための情報端末）が会員登録を行った情報端末と異なるときには、ＩＰアドレスが異なるので、前記測定値情報を受信する情報端末側で会員ＩＤやパスワード（あるいはメールアドレス等）等の入力を行い、これを管理装置に送信して、管理装置は受信した情報から会員を特定し、特定した会員についての測定値情報を前記情報端末に送信するようにしても良い。これによれば、会員は、例えば自宅のＰＣで健康情報サイトにアクセスして会員ＩＤとパスワードを入力することで、自分の測定値情報（例えば体脂肪率の推移）を見ることができる。
【００８８】
上記の実施形態では、測定値情報を携帯電話３０のＩＣチップに一旦記憶し、携帯電話３０が該記憶した測定値情報を管理装置５０に送信する例，及び自動販売機１０が測定値情報をインターネットを介して管理装置５０に送信する例について説明したが、これに限らず、例えば、自動販売機１０のプリンタ１９からプリントアウトされた紙に記載されている測定値情報を健康情報サイトにアクセスして測定値情報登録用の画面に入力する（このとき会員ＩＤ等会員を特定できる情報も入力する）ことにより管理装置５０側で管理するようにしても良い。これによれば、自動販売機から携帯電話、自動販売機から管理装置への通信インターフェイスが必要ないので、販売システムを簡略化できる。
【００８９】
上記の第１実施形態では、自動販売機１０と管理装置５０とがインターネットを介して通信接続されない例について説明したが、これに限らず、自動販売機１０と管理装置５０は通信接続されていても良い。
【００９０】
上記の第２実施形態では、診断を自動販売機１０で行う例について説明したが、これに限らず、測定値情報を管理装置５０に送信し、管理装置５０が測定値情報に基づく診断を行って、その診断結果を自動販売機１０に返信し、自動販売１０が該受信した診断結果を出力するようにしても良い。
【００９１】
上記の第２実施形態では、現金で商品を購入した購入者（特に会員）の測定値情報を管理装置５０で記憶しない例について説明したが、これに限らず、例えば現金で商品を購入した会員の測定値情報を管理装置５０で記憶するようにしても良い。例えば、図５のＤ１５において、会員ＩＤの入力欄を設けて、これに会員ＩＤを入力することで、該入力された会員ＩＤと測定値情報とが管理装置５０に送信され、記憶されるようにしても良い。また、図５のＤ１５において、携帯電話３０を携帯電話の絵に近づける旨のメッセージを表示し、近づけられた携帯電話３０のＩＣチップからＩＣカードＲ／Ｗ２０がＩＰアドレスを読み取って、該読み取ったＩＰアドレスと測定値情報とが管理装置５０に送信され、記憶されるようにしても良い。これによれば、プリペイド価値を有していない会員が現金で商品を購入した場合にも、測定値情報を管理装置５０に記憶させることができる。
【図面の簡単な説明】
【００９２】
【図１】図１（ａ）は自動販売機の一例を表す外観図であり、図１（ｂ）は該自動販売機において、購入者が体脂肪率を測定している状態を表す図である。
【図２】図２は第１実施形態の販売システムの一例を表す機能ブロック図である。
【図３】図３は記憶装置が記憶する会員情報ＤＢ，測定履歴ＤＢ，及び購入履歴ＤＢの記憶内容を表す図である。
【図４】図４は記憶装置が記憶する商品売上ＤＢの記憶内容を表す図である。
【図５】図５は自動販売機のディスプレイに表示される画面の一例を表す図である。
【図６】図６は携帯電話のディスプレイに表示される画面の一例を表す図である。
【図７】図７はＰＣのディスプレイに表示される画面の一例を表す図である。
【図８】図８は第２実施形態の販売システムの一例を表す機能ブロック図である。
【符号の説明】
【００９３】
１…販売システム
１０…自動販売機
１６…体脂肪率計
１７…ディスプレイ
１９…プリンタ
２０…ＩＣカードＲ／Ｗ
２１…通信部
３０…情報端末
５１…Ｗｅｂサーバ
５２…記憶装置
５３…情報管理サーバ
５５…ディスプレイ
【図１】
2005235023.tif 000003
【図２】
2005235023.tif 000004
【図３】
2005235023.tif 000005
【図４】
2005235023.tif 000006
【図５】
2005235023.tif 000007
【図６】
2005235023.tif 000008
【図７】
2005235023.tif 000009
【図８】
2005235023.tif 000010